(57)【特許請求の範囲】
【請求項１】
加熱対象空間を加熱する燃焼用バーナに燃料ガスを供給する燃料供給路には、燃料ガスの流量を測定する燃料ガス流量計と、燃料ガスの流量を調整自在な燃料ガス流量調整弁とが設けられ、
前記燃焼用バーナに燃焼用空気を供給する空気供給路には、燃焼用空気の流量を測定する空気流量計と、燃焼用空気の流量を調整自在な空気流量調整弁とが設けられ、
前記加熱対象空間内の温度に基づいて前記燃焼用バーナの必要出力を求め、その必要出力にて前記燃焼用バーナを燃焼させるときの燃料ガスと燃焼用空気との混合気の空気比が設定空気比となるように目標燃料ガス流量及び目標空気流量を求め、前記燃料ガス流量計の測定流量が前記目標燃料ガス流量となるように前記燃料ガス流量調整弁の作動を制御し、前記空気流量計の測定流量が前記目標空気流量となるように前記空気流量調整弁の作動を制御する流量制御手段が設けられている燃焼設備であって、
前記燃料供給路又は前記空気供給路の少なくとも一方には、オリフィスの上流側と下流側との差圧を測定する圧力センサが設けられ、
前記燃焼用バーナの出力が予め設定された異常診断用出力であるときに、前記燃料供給路及び前記空気供給路のうち前記圧力センサを設けた側において、前記圧力センサの測定差圧に対応する流量と前記圧力センサを設けた供給路側に設けられる前記燃料ガス流量計又は前記空気流量計の測定流量とを比較して前記圧力センサを設けた供給路側に設けられる流量計が異常であるか否かを判別する異常診断手段が設けられ、
前記圧力センサは、前記差圧が設定差圧以上であるか否かによりＯＮ状態とＯＦＦ状態とに切換自在な圧力スイッチ、又は、前記差圧に応じて出力する測定出力部と当該測定出力部からの差圧出力が設定差圧以上であるか否かによりＯＮ状態とＯＦＦ状態と切換自在なリミットスイッチにて構成され、
前記異常診断手段は、前記設定差圧に対応する流量と前記圧力センサを設けた供給路側に設けられる流量計の測定流量との大小関係及び前記圧力スイッチ又は前記リミットスイッチがＯＮ状態かＯＦＦ状態かにより前記圧力センサを設けた供給路側に設けられる流量計が異常であるか否かを判別するように構成されている燃焼設備。
【請求項２】
加熱対象空間を加熱する燃焼用バーナに燃料ガスを供給する燃料供給路には、燃料ガスの流量を測定する燃料ガス流量計と、燃料ガスの流量を調整自在な燃料ガス流量調整弁とが設けられ、
前記燃焼用バーナに燃焼用空気を供給する空気供給路には、燃焼用空気の流量を測定する空気流量計と、燃焼用空気の流量を調整自在な空気流量調整弁とが設けられ、
前記加熱対象空間内の温度に基づいて前記燃焼用バーナの必要出力を求め、その必要出力にて前記燃焼用バーナを燃焼させるときの燃料ガスと燃焼用空気との混合気の空気比が設定空気比となるように目標燃料ガス流量及び目標空気流量を求め、前記燃料ガス流量計の測定流量が前記目標燃料ガス流量となるように前記燃料ガス流量調整弁の作動を制御し、前記空気流量計の測定流量が前記目標空気流量となるように前記空気流量調整弁の作動を制御する流量制御手段が設けられている燃焼設備であって、
前記燃料供給路又は前記空気供給路の少なくとも一方には、オリフィスの上流側と下流側との差圧を測定する圧力センサが設けられ、
前記燃焼用バーナの出力が予め設定された異常診断用出力であるときに、前記燃料供給路及び前記空気供給路のうち前記圧力センサを設けた側において、前記圧力センサの測定差圧に対応する流量と前記圧力センサを設けた供給路側に設けられる前記燃料ガス流量計又は前記空気流量計の測定流量とを比較して前記圧力センサを設けた供給路側に設けられる流量計が異常であるか否かを判別する異常診断手段が設けられ、
前記圧力センサは、前記差圧に応じて出力する差圧発信器にて構成され、
前記異常診断手段は、前記差圧発信器による差圧出力に対応する流量と前記圧力センサを設けた供給路側に設けられる流量計の測定流量との差又は比が正常範囲内にあるか否かにより前記圧力センサを設けた供給路側に設けられる流量計が異常であるか否かを判別するように構成されている燃焼設備。
【請求項３】
前記燃料供給路及び前記空気供給路の両方に、前記差圧発信器が設けられ、
前記異常診断手段は、前記燃料供給路及び前記空気供給路の夫々に設けられた前記差圧発信器の夫々による差圧出力に対応する流量から求めた空気比と、前記燃料ガス流量計の測定流量と前記空気流量計の測定流量とから求めた空気比との差又は比が、正常範囲内にあるか否かにより前記燃料ガス流量計及び前記空気流量計が異常であるか否かを判別するように構成されている請求項２に記載の燃焼設備。
【請求項４】
前記流量制御手段は、前記異常診断手段にて前記燃料ガス流量計又は前記空気流量計が異常であると判別された場合には、前記差圧発信器による差圧出力に対応する流量が前記目標燃料ガス流量となるように前記燃料ガス流量調整弁の作動を制御する、又は、前記差圧発信器による差圧出力に対応する流量が前記目標空気ガス流量となるように前記空気流量調整弁の作動を制御するバックアップ運転を実行可能に構成されている請求項２又は３に記載の燃焼設備。
【請求項５】
前記燃料供給路及び前記空気供給路の両方に、前記圧力センサが設けられ、
前記異常診断手段は、前記燃料供給路に設けられた前記圧力センサの測定差圧に対応する流量と前記燃料ガス流量計の測定流量とを比較して前記燃料ガス流量計が異常であるか否かを判別し、前記空気供給路に設けられた前記圧力センサの測定差圧に対応する流量と前記空気流量計の測定流量とを比較して前記空気流量計が異常であるか否かを判別するように構成されている請求項１〜４の何れか１項に記載の燃焼設備。
【請求項６】
前記異常診断用出力は、前記燃焼用バーナの出力として使用頻度の高い出力に設定されている請求項１〜５の何れか１項に記載の燃焼設備。
【請求項７】
前記異常診断用出力は、前記燃焼用バーナの燃焼を開始させるときに調整される出力に設定されている請求項１〜６の何れか１項に記載の燃焼設備。
【請求項８】
加熱対象空間内の温度に基づいてその加熱対象空間を加熱する燃焼用バーナの必要出力を求め、その必要出力にて前記燃焼用バーナを燃焼させるときの燃料ガスと燃焼用空気との混合気の空気比が設定空気比となるように目標燃料ガス流量及び目標空気流量を求め、前記燃焼用バーナに燃料ガスを供給する燃料供給路において燃料ガス流量計の測定流量が前記目標燃料ガス流量となるように燃料ガス流量調整弁の作動を制御し、前記燃焼用バーナに燃焼用空気を供給する空気供給路において空気流量計の測定流量が前記目標空気流量となるように空気流量調整弁の作動を制御する燃焼設備の異常診断方法であって、  前記燃焼用バーナの出力が予め設定された異常診断用出力であるときに、前記燃料供給路又は前記空気供給路の少なくとも一方においてオリフィスの上流側と下流側との差圧を測定する圧力センサの差圧に対応する流量と前記圧力センサを設けた供給路側に設けられる前記燃料ガス流量計又は前記空気流量計の測定流量とを比較して前記圧力センサを設けた供給路側に設けられる流量計が異常であるか否かを判別するにあたり、
前記圧力センサを、前記差圧が設定差圧以上であるか否かによりＯＮ状態とＯＦＦ状態とに切換自在な圧力スイッチ、又は、前記差圧に応じて出力する測定出力部と当該測定出力部からの差圧出力が設定差圧以上であるか否かによりＯＮ状態とＯＦＦ状態と切換自在なリミットスイッチとにて構成し、
前記設定差圧に対応する流量と前記圧力センサを設けた供給路側に設けられる流量計の測定流量との大小関係及び前記圧力スイッチ又は前記リミットスイッチがＯＮ状態かＯＦＦ状態かにより前記圧力センサを設けた供給路側に設けられる流量計が異常であるか否かを判別する燃焼設備の異常診断方法。
【請求項９】
加熱対象空間内の温度に基づいてその加熱対象空間を加熱する燃焼用バーナの必要出力を求め、その必要出力にて前記燃焼用バーナを燃焼させるときの燃料ガスと燃焼用空気との混合気の空気比が設定空気比となるように目標燃料ガス流量及び目標空気流量を求め、前記燃焼用バーナに燃料ガスを供給する燃料供給路において燃料ガス流量計の測定流量が前記目標燃料ガス流量となるように燃料ガス流量調整弁の作動を制御し、前記燃焼用バーナに燃焼用空気を供給する空気供給路において空気流量計の測定流量が前記目標空気流量となるように空気流量調整弁の作動を制御する燃焼設備の異常診断方法であって、  前記燃焼用バーナの出力が予め設定された異常診断用出力であるときに、前記燃料供給路又は前記空気供給路の少なくとも一方においてオリフィスの上流側と下流側との差圧を測定する圧力センサの差圧に対応する流量と前記圧力センサを設けた供給路側に設けられる前記燃料ガス流量計又は前記空気流量計の測定流量とを比較して前記圧力センサを設けた供給路側に設けられる流量計が異常であるか否かを判別するにあたり、
前記圧力センサを、前記差圧に応じて出力する差圧発信器にて構成し、
前記差圧発信器による差圧出力に対応する流量と前記圧力センサを設けた供給路側に設けられる流量計の測定流量との差又は比が正常範囲内にあるか否かにより前記圧力センサを設けた供給路側に設けられる流量計が異常であるか否かを判別する燃焼設備の異常診断方法。
【発明の詳細な説明】
【技術分野】
【０００１】
本発明は、加熱対象空間を加熱する燃焼用バーナに燃料ガスを供給する燃料供給路には、燃料ガスの流量を測定する燃料ガス流量計と、燃料ガスの流量を調整自在な燃料ガス流量調整弁とが設けられ、前記燃焼用バーナに燃焼用空気を供給する空気供給路には、燃焼用空気の流量を測定する空気流量計と、燃焼用空気の流量を調整自在な空気流量調整弁とが設けられている燃焼設備、及び、その燃焼設備の異常診断方法に関する。
【背景技術】
【０００２】
上記のような燃焼設備では、炉内空間等の加熱対象空間を加熱するために燃焼用バーナを設け、燃料供給路での燃料ガスの流量を制御するとともに、空気供給路での燃焼用空気の流量を制御することにより、燃焼用バーナの出力及び燃料ガスと燃焼用空気との混合気の空気比を制御するようにしている（例えば、特許文献１参照。）。
【０００３】
このような従来の燃焼設備では、加熱対象空間の温度を検出する温度センサを設け、その温度センサの検出情報から加熱対象空間の温度を目標温度にするための燃焼用バーナの必要出力を求め、その必要出力にて燃焼用バーナを燃焼させるときの空気比が設定空気比（例えば、１．１〜１．３）となるように目標燃料ガス流量及び目標空気流量を求める流量制御手段が設けられている。そして、流量制御手段は、燃料ガス流量計及び空気流量計の測定流量を常時監視しており、燃料ガス流量計の測定流量が目標燃料ガス流量となるように燃料ガス流量調整弁の作動を制御し、空気流量計の測定流量が目標空気流量となるように空気流量調整弁の作動を制御するように構成されている。このようにして、燃料ガス流量計及び空気流量計の測定流量を用いて、燃料ガスの流量を目標燃料ガス流量とし且つ燃焼用空気の流量を目標空気流量として、燃焼用バーナの出力及び空気比を適正に制御することができる。
【０００４】
【特許文献１】特開平５−１１８５２９号公報
【発明の開示】
【発明が解決しようとする課題】
【０００５】
上記従来の燃焼設備では、燃料ガス流量計や空気流量計の故障や経年劣化等の異常により測定流量が真の流量からずれてしまう場合がある。このように、流量計に異常が生じている場合には、燃料ガス流量や空気流量を目標の流量とすることができず、燃焼用バーナの出力や空気比を適正に制御できなくなる虞がある。よって、燃焼用バーナの出力や空気比を適正に制御するために、燃料ガス流量計や空気流量計の流量計が異常であるか否かを判別することが求められている。また、このような燃焼設備では、高価な機器を使用することが多いが、コストアップを招くことなく、流量計が異常であるか否かを判別することが望まれている。
【０００６】
本発明は、かかる点に着目してなされたものであり、その目的は、コストアップを招くことなく、簡易な構成で、燃料ガス流量計や空気流量計の流量計が異常であるか否かを判別することができる燃焼設備及びその燃焼設備の異常診断方法を提供する点にある。
【課題を解決するための手段】
【０００７】
この目的を達成するために、本発明に係る燃焼設備の前提構成は、加熱対象空間を加熱する燃焼用バーナに燃料ガスを供給する燃料供給路には、燃料ガスの流量を測定する燃料ガス流量計と、燃料ガスの流量を調整自在な燃料ガス流量調整弁とが設けられ、前記燃焼用バーナに燃焼用空気を供給する空気供給路には、燃焼用空気の流量を測定する空気流量計と、燃焼用空気の流量を調整自在な空気流量調整弁とが設けられ、前記加熱対象空間内の温度に基づいて前記燃焼用バーナの必要出力を求め、その必要出力にて前記燃焼用バーナを燃焼させるときの燃料ガスと燃焼用空気との混合気の空気比が設定空気比となるように目標燃料ガス流量及び目標空気流量を求め、前記燃料ガス流量計の測定流量が前記目標燃料ガス流量となるように前記燃料ガス流量調整弁の作動を制御し、前記空気流量計の測定流量が前記目標空気流量となるように前記空気流量調整弁の作動を制御する流量制御手段が設けられている燃焼設備において、
前記燃料供給路又は前記空気供給路の少なくとも一方には、オリフィスの上流側と下流側との差圧を測定する圧力センサが設けられ、前記燃焼用バーナの出力が予め設定された異常診断用出力であるときに、前記燃料供給路及び前記空気供給路のうち前記圧力センサを設けた側において、前記圧力センサの測定差圧に対応する流量と前記圧力センサを設けた供給路側に設けられる前記燃料ガス流量計又は前記空気流量計の測定流量とを比較して前記圧力センサを設けた供給路側に設けられる流量計が異常であるか否かを判別する異常診断手段が設けられている。
そして、本発明に係る燃焼設備の特徴構成は、後述するような第１又は第２の特徴構成を有する点にある。
【０００８】
燃料ガス流量計又は空気流量計の流量計が異常であると、例えば、その流量計の測定流量と圧力センサの測定差圧に対応する流量との差又は比が正常範囲から外れることになる。そこで、本特徴構成では、異常診断手段が、圧力センサの測定差圧に対応する流量と流量計の測定流量とを比較することにより、流量計が異常であるか否かを判別することができる。
そして、本特徴構成では、異常診断手段が、燃焼用バーナの出力が調整可能な全範囲において流量計が異常であるか否かを判別するのではなく、燃焼用バーナの出力が予め設定されている異常診断用出力であるときに、流量計が異常であるか否かを判別している。これにより、圧力センサが測定する差圧を生じさせるためのオリフィスは、燃焼用バーナの出力が異常診断用出力であるときに適正な差圧を生じさせるだけのものでよく、簡易で安価なものとすることができる。また、圧力センサについても、燃焼用バーナの出力が異常診断用出力であるときに適正な差圧を検出できるものでよく、簡易で安価なものとすることができる。
以上のことから、オリフィス及び圧力センサを簡易で安価なものとしながら、流量計が異常であるか否かを判別することができるので、コストアップを招くことなく、簡易な構成で、燃料ガス流量計や空気流量計の流量計が異常であるか否かを判別することができる燃焼設備を実現できるに至った。
【０００９】
本発明に係る燃焼設備の更なる特徴構成は、前記燃料供給路及び前記空気供給路の両方に、前記圧力センサが設けられ、前記異常診断手段は、前記燃料供給路に設けられた前記圧力センサの測定差圧に対応する流量と前記燃料ガス流量計の測定流量とを比較して前記燃料ガス流量計が異常であるか否かを判別し、前記空気供給路に設けられた前記圧力センサの測定差圧に対応する流量と前記空気流量計の測定流量とを比較して前記空気流量計が異常であるか否かを判別するように構成されている点にある。
【００１０】
本特徴構成によれば、異常診断手段は、燃料ガス流量計及び空気流量計の夫々について異常であるか否かを判別することができる。よって、燃料ガス流量計及び空気流量計のいずれか一方が異常であると判別することにより、燃焼用バーナの燃焼を停止させる等の処置を行うことができ、流量計が異常のまま燃焼用バーナの燃焼が継続されるのを防止することができる。
【００１１】
本発明に係る燃焼設備の更なる特徴構成は、前記異常診断用出力は、前記燃焼用バーナの出力として使用頻度の高い出力に設定されている点にある。
【００１２】
本特徴構成によれば、異常診断用出力が使用頻度の高い出力であるので、燃焼用バーナの出力が異常診断用出力となる頻度を高くすることができる。これにより、燃焼用バーナの出力の制御を行いながら、流量計の異常判別を高い頻度で行うことができ、流量計の異常をより早い段階で判別することができる。
【００１３】
本発明に係る燃焼設備の更なる特徴構成は、前記異常診断用出力は、前記燃焼用バーナの燃焼を開始させるときに調整される出力に設定されている点にある。
【００１４】
本特徴構成によれば、異常診断用出力は、燃焼用バーナの燃焼を開始させるときに調整される出力であるので、燃焼用バーナの燃焼を開始させた当初に、流量計が異常であるか否かを判別することができる。よって、流量計が異常であるときには、燃焼用バーナの燃焼を開始した段階でその後の燃焼を停止させることができ、流量計が異常のまま燃焼用バーナの燃焼が継続させるのを的確に防止することができる。
【００１５】
本発明に係る燃焼設備の第１の特徴構成は、上記前提構成に加えて、前記圧力センサは、前記差圧が設定差圧以上であるか否かによりＯＮ状態とＯＦＦ状態とに切換自在な圧力スイッチ、又は、前記差圧に応じて出力する測定出力部と当該測定出力部からの差圧出力が設定差圧以上であるか否かによりＯＮ状態とＯＦＦ状態と切換自在なリミットスイッチにて構成され、前記異常診断手段は、前記設定差圧に対応する流量と前記圧力センサを設けた供給路側に設けられる流量計の測定流量との大小関係及び前記圧力スイッチ又は前記リミットスイッチがＯＮ状態かＯＦＦ状態かにより前記圧力センサを設けた供給路側に設けられる流量計が異常であるか否かを判別するように構成されている点にある。
【００１６】
本第１の特徴構成によれば、圧力センサが、簡易な構成の圧力スイッチ又はリミットスイッチにて構成されているので、コストの低減及び構成の簡素化を図ることができる。そして、流量計が正常であれば、例えば、流量計の測定流量が設定差圧に対応する流量よりも大きいと圧力スイッチ又はリミットスイッチがＯＮ状態となる等、設定差圧に対応する流量と流量計の測定流量との大小関係と圧力スイッチ又はリミットスイッチがＯＮ状態かＯＦＦ状態かとの関係が一定の関係となる。そこで、異常診断手段は、この一定の関係が崩れると、流量計が異常であると判別することができる。よって、圧力スイッチ又はリミットスイッチという簡易な構成を用いながら、流量計の異常判別を的確に行うことができる。
【００１７】
本発明に係る燃焼設備の第２の特徴構成は、上記前提構成に加えて、前記圧力センサは、前記差圧に応じて出力する差圧発信器にて構成され、前記異常診断手段は、前記差圧発信器による差圧出力に対応する流量と前記圧力センサを設けた供給路側に設けられる流量計の測定流量との差又は比が正常範囲内にあるか否かにより前記圧力センサを設けた供給路側に設けられる流量計が異常であるか否かを判別するように構成されている点にある。
【００１８】
流量計が正常であれば、差圧発信器による差圧出力に対応する流量と流量計の測定流量との差又は比が正常範囲内となるが、流量計が異常となると、差圧発信器による差圧出力に対応する流量と流量計の測定流量との差又は比が正常範囲外となる。よって、本第２の特徴構成によれば、異常診断手段は、差圧発信器による差圧出力に対応する流量と流量計の測定流量とを比較して、その差又は比が正常範囲内であるか否かの単純な判別を行うだけで、流量計の異常判別を的確に行うことができる。
【００１９】
本発明に係る燃焼設備の更なる特徴構成は、上記第２の特徴構成に加えて、前記燃料供給路及び前記空気供給路の両方に、前記差圧発信器が設けられ、前記異常診断手段は、前記燃料供給路及び前記空気供給路の夫々に設けられた前記差圧発信器の夫々による差圧出力に対応する流量から求めた空気比と、前記燃料ガス流量計の測定流量と前記空気流量計の測定流量とから求めた空気比との差又は比が、正常範囲内にあるか否かにより前記燃料ガス流量計及び前記空気流量計が異常であるか否かを判別するように構成されている点にある。
【００２０】
燃料ガス流量計及び空気流量計が正常であれば、差圧発信器の夫々による差圧出力に対応する流量から求めた空気比と燃料ガス流量計の測定流量と空気流量計の測定流量とから求めた空気比との差又は比が正常範囲内となるが、燃料ガス流量計又は空気流量計が異常となると、差圧発信器の夫々による差圧出力に対応する流量から求めた空気比と燃料ガス流量計の測定流量と空気流量計の測定流量とから求めた空気比との差又は比が正常範囲外となる。よって、本特徴構成によれば、異常診断手段は、差圧発信器の測定結果から求めた空気比と流量計の測定結果から求めた空気比とを比較して、その差又は比が正常範囲内であるか否かの単純な判別を行うだけで、燃料ガス流量計及び空気流量計の異常判別を的確に行うことができる。
【００２１】
本発明に係る燃焼設備の更なる特徴構成は、上記第２の特徴構成乃至その更なる特徴構成の何れかに加えて、前記流量制御手段は、前記異常診断手段にて前記燃料ガス流量計又は前記空気流量計が異常であると判別された場合には、前記差圧発信器による差圧出力に対応する流量が前記目標燃料ガス流量となるように前記燃料ガス流量調整弁の作動を制御する、又は、前記差圧発信器による差圧出力に対応する流量が前記目標空気ガス流量となるように前記空気流量調整弁の作動を制御するバックアップ運転を実行可能に構成されている点にある。
【００２２】
本特徴構成によれば、差圧発信器は、差圧に応じて出力するので、その差圧出力に対応する流量が燃料ガス流量又は空気流量とすることができる。これにより、燃料ガス流量計又は空気流量計が異常であるときには、流量制御手段が、燃料ガス流量計又は空気流量計に代えて、差圧発信器を用いてバックアップ運転を行っても、燃焼用バーナの燃焼を適正に行うことができる。よって、燃料ガス流量計又は空気流量計が異常となっても、異常判別のために差圧発信器を用いて、燃焼用バーナの燃焼を継続させることができる。
【００２３】
本発明に係る燃焼設備の異常診断方法の特徴構成は、加熱対象空間内の温度に基づいてその加熱対象空間を加熱する燃焼用バーナの必要出力を求め、その必要出力にて前記燃焼用バーナを燃焼させるときの燃料ガスと燃焼用空気との混合気の空気比が設定空気比となるように目標燃料ガス流量及び目標空気流量を求め、前記燃焼用バーナに燃料ガスを供給する燃料供給路において燃料ガス流量計の測定流量が前記目標燃料ガス流量となるように燃料ガス流量調整弁の作動を制御し、前記燃焼用バーナに燃焼用空気を供給する空気供給路において空気流量計の測定流量が前記目標空気流量となるように空気流量調整弁の作動を制御する燃焼設備の異常診断方法において、
前記燃焼用バーナの出力が予め設定された異常診断用出力であるときに、前記燃料供給路又は前記空気供給路の少なくとも一方においてオリフィスの上流側と下流側との差圧を測定する圧力センサの差圧に対応する流量と前記圧力センサを設けた供給路側に設けられる前記燃料ガス流量計又は前記空気流量計の測定流量とを比較して前記圧力センサを設けた供給路側に設けられる流量計が異常であるか否かを判別するにあたり、
前記圧力センサを、前記差圧が設定差圧以上であるか否かによりＯＮ状態とＯＦＦ状態とに切換自在な圧力スイッチ、又は、前記差圧に応じて出力する測定出力部と当該測定出力部からの差圧出力が設定差圧以上であるか否かによりＯＮ状態とＯＦＦ状態と切換自在なリミットスイッチとにて構成し、
前記設定差圧に対応する流量と前記圧力センサを設けた供給路側に設けられる流量計の測定流量との大小関係及び前記圧力スイッチ又は前記リミットスイッチがＯＮ状態かＯＦＦ状態かにより前記圧力センサを設けた供給路側に設けられる流量計が異常であるか否かを判別する点にある。
また、本発明に係る燃焼設備の異常診断方法の特徴構成は、熱対象空間内の温度に基づいてその加熱対象空間を加熱する燃焼用バーナの必要出力を求め、その必要出力にて前記燃焼用バーナを燃焼させるときの燃料ガスと燃焼用空気との混合気の空気比が設定空気比となるように目標燃料ガス流量及び目標空気流量を求め、前記燃焼用バーナに燃料ガスを供給する燃料供給路において燃料ガス流量計の測定流量が前記目標燃料ガス流量となるように燃料ガス流量調整弁の作動を制御し、前記燃焼用バーナに燃焼用空気を供給する空気供給路において空気流量計の測定流量が前記目標空気流量となるように空気流量調整弁の作動を制御する燃焼設備の異常診断方法において、
前記燃焼用バーナの出力が予め設定された異常診断用出力であるときに、前記燃料供給路又は前記空気供給路の少なくとも一方においてオリフィスの上流側と下流側との差圧を測定する圧力センサの差圧に対応する流量と前記圧力センサを設けた供給路側に設けられる前記燃料ガス流量計又は前記空気流量計の測定流量とを比較して前記圧力センサを設けた供給路側に設けられる流量計が異常であるか否かを判別するにあたり、
前記圧力センサを、前記差圧に応じて出力する差圧発信器にて構成し、
前記差圧発信器による差圧出力に対応する流量と前記圧力センサを設けた供給路側に設けられる流量計の測定流量との差又は比が正常範囲内にあるか否かにより前記圧力センサを設けた供給路側に設けられる流量計が異常であるか否かを判別する点にある。
【００２４】
本特徴構成によれば、上記燃焼設備の特徴構成で述べた如く、オリフィス及び圧力センサを簡易で安価なものとしながら、燃料ガス流量計又は空気流量計の流量計が異常であるか否かを判別することができる。よって、コストアップを招くことなく、簡易な構成で、燃料ガス流量計や空気流量計の流量計が異常であるか否かを判別することができる燃焼設備の異常診断方法を提供できるに至った。
【発明を実施するための最良の形態】
【００２５】
本発明に係る燃焼設備の実施形態について、図面に基づいて説明する。
〔第１実施形態〕
図１に示すように、加熱対象空間として炉内空間１を加熱するように燃焼用バーナ２が設けられている。燃焼用バーナ２に燃料ガスを供給する燃料供給路３には、燃料ガスの流れ方向の上流側から順に、燃料ガスの流量を測定する燃料ガス流量計４と、燃料ガスの流量を調整自在な燃料ガス流量調整弁５とが設けられている。燃焼用バーナ２にブロア６からの燃焼用空気を供給する空気供給路７には、空気の流れ方向の上流側から順に、燃焼用空気の流量を測定する空気流量計８と、燃焼用空気の流量を調整自在な空気流量調整弁９とが設けられている。
ちなみに、燃料供給路３には、手動操作等により燃焼用バーナ２への燃料ガスの供給を断続させることができるように、手動操作等により開状態又は閉状態等に調整自在な調整弁１８、１９が設けられている。
【００２６】
燃焼用バーナ２の燃焼を制御する制御装置１０が設けられ、この制御装置１０には、炉内空間１に設けられた温度センサ１１にて検出する炉内空間１の温度を示す温度情報、燃料ガス流量計４の測定流量を示す流量情報、及び、空気流量計８の測定流量を示す流量情報が入力されるように構成されている。
【００２７】
制御装置１０には、温度センサ１１の温度情報から炉内空間１の温度を目標温度にするための燃焼用バーナ２の必要出力を求め、その必要出力にて燃焼用バーナ２を燃焼させるときの空気比が設定空気比（例えば、１．１〜１．３）となるように目標燃料ガス流量及び目標空気流量を求める流量制御手段１２が設けられている。燃焼用バーナ２の出力として、０％〜１００％の間で調整可能であり、流量制御手段１２は、例えば、炉内空間１の温度が目標温度よりも低いとその温度差に応じて燃焼用バーナ２の必要出力が高くなるように、燃焼用バーナ２の必要出力を求めるように構成されている。
そして、流量制御手段１２は、燃料ガス流量計４及び空気流量計８の測定流量を常時監視しており、燃料ガス流量計４の測定流量が目標燃料ガス流量となるように燃料ガス流量調整弁５の作動を制御し、空気流量計８の測定流量が目標空気流量となるように空気流量調整弁９の作動を制御するように構成されている。このようにして、燃料ガスの流量を目標燃料ガス流量とし且つ燃焼用空気の流量を目標空気流量として、燃焼用バーナ２の出力及び空気比を適正に制御するようにしている。
【００２８】
燃料供給路３には、燃料ガス流量計４よりも上流側に、第１オリフィス１３（オリフィスに相当する）の上流側と下流側との差圧を測定する第１圧力センサ１４（圧力センサに相当する）が設けられている。第１圧力センサ１４は、測定する差圧が設定差圧よりも小さいとＯＦＦ状態となっており、測定する差圧が設定差圧以上となるとＯＮ状態となる第１圧力スイッチ１４ａにて構成されている。第１圧力スイッチ１４ａのＯＮ状態／ＯＦＦ状態を示す情報が制御装置１０に入力されるように構成されている。
空気供給路７には、燃料供給路３と同様に、空気流量計８よりも上流側に、第２オリフィス１５（オリフィスに相当する）の上流側と下流側との差圧を測定する第２圧力センサ１６（圧力センサに相当する）が設けられており、この第２圧力センサ１６も、第１圧力センサ１４と同様に、第２圧力スイッチ１６ａにて構成されている。そして、第２圧力スイッチ１６ａのＯＮ状態／ＯＦＦ状態を示す情報が制御装置１０に入力されるように構成されている。
【００２９】
制御装置１０には、燃焼用バーナ２の出力が予め設定されている異常診断用出力であるときに、第１圧力スイッチ１４ａからの入力情報及び燃料ガス流量計４からの入力情報に基づいて燃料ガス流量計４が異常であるか否かを判別し、第２圧力スイッチ１６ａからの入力情報及び空気流量計８からの入力情報に基づいて空気流量計８が異常であるか否かを判別する異常診断手段１７が設けられている。
【００３０】
異常診断手段１７は、第１圧力スイッチ１４ａにおける設定差圧に対応する流量と燃料ガス流量計４の測定流量との大小関係及び第１圧力スイッチ１４ａがＯＮ状態かＯＦＦ状態かにより、燃料ガス流量計４が異常であるか否かを判別するように構成されている。また、異常診断手段１７は、燃料ガス流量計４と同様にして、空気流量計８についても、第２圧力スイッチ１６ａにおける設定差圧に対応する流量と空気流量計８の測定流量との大小関係及び第２圧力スイッチ１６ａがＯＮ状態かＯＦＦ状態かにより、異常であるか否かを判別するように構成されている。そして、異常診断手段１７が、燃料ガス流量計４又は空気流量計８の何れか一方でも異常であると判別すると、燃焼用バーナ２の燃焼を停止させるようにしている。
【００３１】
以下、異常診断手段１７による空気流量計８の異常判別について説明する。燃料ガス流量計４の異常判別も同様であるので、詳細な説明は省略する。
例えば、燃焼用バーナ２の出力が異常診断用出力（例えば、８０％）であるときに、空気供給路７の目標空気流量が８０〔ｍ3／ｈ〕となる場合に、異常診断手段１７は、８０〔ｍ3／ｈ〕を基準として空気流量計８の異常判別を行う。このとき、第２オリフィス１５の上流側と下流側との差圧が３０〔ｍｍＨ2Ｏ〕となるように第２オリフィス１５の孔径を選定し、第２圧力スイッチ１６ａは、測定する差圧が設定差圧（３０〔ｍｍＨ2Ｏ〕）より小さいとＯＦＦ状態となっており、測定する差圧が設定差圧（３０〔ｍｍＨ2Ｏ〕）以上となるとＯＮ状態となるように設定する。異常診断手段１７は、空気流量計８の測定流量が設定差圧に対応する流量（８０〔ｍ3／ｈ〕よりも小さい７０〔ｍ3／ｈ〕）以下の間は第２圧力スイッチ１６ａがＯＦＦ状態であるとする条件と、空気流量計８の測定流量が設定差圧に対応する流量（８０〔ｍ3／ｈ〕よりも大きい９０〔ｍ3／ｈ〕）以上の間は第２圧力スイッチ１６ａがＯＮ状態であるとする条件との２つの条件を満たす場合には、空気流量計８は正常であると判別し、２つの条件の何れか一方でも満たさない場合には、空気流量計８は異常であると判別する。
【００３２】
このように、本発明に係る燃焼設備の異常診断方法は、燃焼用バーナ２の出力が予め設定された異常診断用出力であるときに、燃料供給路３又は空気供給路７の一方においてオリフィス１３，１５の上流側と下流側との差圧を測定する圧力センサ１４，１６の差圧に対応する流量と燃料ガス流量計４又は空気流量計８の流量計の測定流量とを比較して燃料ガス流量計４又は空気流量計８の流量計が異常であるか否かを判別するようにしている。
【００３３】
異常診断用出力としては、図２に示すように、例えば、燃焼用バーナ２の燃焼を開始させるときに調整される出力（例えば、８０％）に設定されている。燃焼用バーナ２の燃焼を開始させるときには、最初、炉内空間１の温度が低いので、流量制御手段１２にて求められる燃焼用バーナ２の必要出力が８０％となり、燃焼用バーナ２の出力が８０％に調整されることになる。また、燃焼用バーナ２の燃焼を開始させるときには、燃焼用バーナ２の状態を確認するために、一旦、燃料ガスの流量を最大とし且つ燃焼用空気の流量を最大として燃焼用バーナ２の出力を１００％とすることもある。本発明では、このように、燃焼用バーナ２の燃焼を開始させるときに調整される出力（例えば、８０％）を異常診断用出力に設定しておくことで、燃焼用バーナ２の燃焼を開始させた当初に、燃料ガス流量計４及び空気流量計８が異常であるか否かを判別することができる。よって、燃料ガス流量計４及び空気流量計８が異常であるときには、燃焼用バーナ２の燃焼を開始した段階でその後の燃焼を停止させることができ、燃料ガス流量計４及び空気流量計８が異常のまま燃焼用バーナ２の燃焼が継続させるのを的確に防止することができる。
【００３４】
また、異常診断用出力としては、図３に示すように、例えば、燃焼用バーナ２の出力として使用頻度の高い出力Ｋ％（例えば、４０〜６０％）に設定することもできる。燃焼用バーナ２の出力は、炉内空間１の温度によって調整されるので、その出力は上下に変化することになる。そこで、例えば、燃焼用バーナ２の出力として最も使用頻度の高い出力Ｋ％（例えば、４０〜６０％）を異常診断用出力に設定することで、燃料ガス流量計４及び空気流量計８の異常判別を行う頻度を高くすることができる。よって、燃焼用バーナ２の出力調整を行いながら、燃料ガス流量計４及び空気流量計８が異常であることを早い段階で判別することができ、燃料ガス流量計４及び空気流量計８が異常のまま燃焼用バーナ２の燃焼が継続させるのを的確に防止することができる。
【００３５】
〔第２実施形態〕
上記第１実施形態では、第１圧力センサ１４及び第２圧力センサ１６を圧力スイッチにて構成した形態を説明したが、この第２実施形態では、図４に示すように、第１圧力センサ１４及び第２圧力センサ１６が、測定する差圧に応じて出力する第１差圧発信器１４ｂ及び第２差圧発信器１６ｂ（差圧発信器に相当する）にて構成されている。
【００３６】
異常診断手段１７は、第１差圧発信器１４ｂによる差圧出力に対応する流量と燃料ガス流量計４の測定流量との差又は比が正常範囲内にあるか否かにより、燃料ガス流量計４が異常であるか否かを判別するように構成されている。異常診断手段１７は、燃料ガス流量計４と同様にして、空気流量計８についても、第２差圧発信器１６ｂによる差圧出力に対応する流量と空気流量計８の測定流量との差又は比が正常範囲内にあるか否かにより、異常であるか否かを判別するように構成されている。
【００３７】
以下、異常診断手段１７による空気流量計８の異常判別について説明する。燃料ガス流量計４の異常判別も同様であるので、詳細な説明は省略する。
異常診断手段１７は、第２差圧発信器１６ｂからの差圧出力ΔＰ及びオリフィスの流量係数ｋから差圧出力に対応する流量Ｑ２（＝ｋ×√ΔＰ）を求め、その求めた流量Ｑ２と空気流量計８の測定流量Ｑ１とを比較し、Ｑ１とＱ２との比（Ｑ１／Ｑ２）、又は、Ｑ１とＱ２との差（｜Ｑ１−Ｑ２｜）が正常範囲内にあるか否かにより、空気流量計８が異常であるか否かを判別する。
例えば、オリフィスの流量係数ｋ＝１の場合には、第２差圧発信器１６ｂからの差圧出力ΔＰが１００〔ｍｍＨ2Ｏ〕であると、差圧出力に対応する流量Ｑ２は１０〔ｍ3／ｈ〕となる。そこで、異常診断手段１７は、空気流量計８の測定流量Ｑ１からＱ１／Ｑ２を求め、その求めたＱ１／Ｑ２が正常範囲（例えば、０．９〜１．１）内にある場合には、空気流量計８が正常であると判別し、Ｑ１／Ｑ２が正常範囲（例えば、０．９〜１．１）外にある場合には、空気流量計８が異常であると判別する。また、異常診断手段１７は、Ｑ１／Ｑ２に代えて、｜Ｑ１−Ｑ２｜を用いて判別するときには、｜Ｑ１−Ｑ２｜が正常範囲（例えば、±１〔ｍ3／ｈ〕）内である場合には、空気流量計８が正常であると判別し、｜Ｑ１−Ｑ２｜が正常範囲（例えば、±１〔ｍ3／ｈ〕）外にある場合には、空気流量計８が異常であると判別する。
【００３８】
この第２実施形態では、圧力センサとして差圧発信器を用いているので、差圧発信器の差圧出力に対応する流量が燃料ガス流量又は空気流量とすることができる。よって、流量制御手段１２は、差圧発信器の差圧出力に対応する流量を用いて、燃料ガス流量又は空気流量を制御するバックアップ運転を実行可能に構成されている。
流量制御手段１２は、異常診断手段１７にて燃料ガス流量計４が異常であると判別された場合には、バックアップ運転として、第１差圧発信器１４ｂによる差圧出力に対応する流量が目標燃料ガス流量となるように燃料ガス流量調整弁４の作動を制御するように構成されている。また、流量制御手段１２は、異常診断手段１７にて空気流量計４が異常であると判別された場合には、バックアップ運転として、第２差圧発信器１６ｂによる差圧出力に対応する流量が目標空気流量となるように空気流量調整弁８の作動を制御するように構成されている。
【００３９】
〔第３実施形態〕
この第３実施形態は、上記第２実施形態において、異常診断手段１７による燃料ガス流量計４や空気流量計８の異常診断の構成についての別実施形態である。
この第３実施形態では、異常診断手段１７が、燃料供給路３及び空気供給路７の夫々に設けられた第１差圧発信器１４ｂ及び第２差圧発信器１６ｂの夫々による差圧出力に対応する流量から空気比Ｎ１を求め、燃料ガス流量計４の測定流量と空気流量計８の測定流量とから空気比Ｎ２を求め、空気比Ｎ１と空気比Ｎ２との差又は比が正常範囲内にあるか否かにより、燃料ガス流量計４及び空気流量計８が異常であるか否かを判別するように構成されている。
つまり、燃料ガス流量計４及び空気流量計８が正常であると、空気比Ｎ１と空気比Ｎ２との差又は比が正常範囲内に収まるが、燃料ガス流量計４又は空気流量計８が異常であると、空気比Ｎ１と空気比Ｎ２との差又は比が正常範囲外となる。そこで、異常診断手段１７は、空気比Ｎ１と空気比Ｎ２とを比較することにより、燃料ガス流量計４及び空気流量計８が異常であるか否かを判別するように構成されている。
【００４０】
〔別実施形態〕
（１）上記第２及び第３実施形態では、圧力センサを測定する差圧に応じて出力する差圧発信器にて構成した例を示したが、例えば、圧力センサは、測定する差圧に応じて出力する測定出力部と、その測定出力部からの差圧出力が設定差圧以上であるか否かによりＯＮ状態とＯＦＦ状態と切換自在なリミットスイッチとを備えたものとすることもできる。この場合には、上記第１実施形態と同様に、異常診断手段は、設定差圧に対応する流量と流量計の測定流量との大小関係及び圧力センサのリミットスイッチがＯＮ状態かＯＦＦ状態かにより流量計が異常であるか否かを判別するように構成することができる。
【００４１】
（２）上記第１〜第３実施形態において、異常診断用出力については、一定出力としたり、変更可能とすることができる。例えば、異常診断用出力を燃焼用バーナの出力として使用頻度の高い出力に設定する場合に、燃焼用バーナの使用状況に応じて最も使用頻度の高い出力が変化すると、異常診断手段は、その変化した最も使用頻度の高い出力になるように異常診断用出力を変更設定することもできる。
【００４２】
（３）上記第１〜第３実施形態では、燃料供給路及び空気供給路の両方に圧力センサを設け、異常診断手段は、燃料ガス流量計及び空気流量計の両方について異常であるか否かを判別するようにしているが、例えば、燃料供給路にのみ圧力センサを設け、異常診断手段を、燃料ガス流量計についてのみ異常であるか否かを判別するように構成することもでき、燃料ガス流量計及び空気流量計の何れか一方のみについて異常であるか否かを判別するようにしてもよい。
【産業上の利用可能性】
【００４３】
本発明は、加熱対象空間を加熱する燃焼用バーナに燃料ガスを供給する燃料供給路には、燃料ガスの流量を測定する燃料ガス流量計と、燃料ガスの流量を調整自在な燃料ガス流量調整弁とが設けられ、前記燃焼用バーナに燃焼用空気を供給する空気供給路には、燃焼用空気の流量を測定する空気流量計と、燃焼用空気の流量を調整自在な空気流量調整弁とが設けられ、コストアップを招くことなく、簡易な構成で、燃料ガス流量計や空気流量計の流量計が異常であるか否かを判別することができる各種の燃焼設備及びその燃焼設備の異常診断方法に適応することができる。
【図面の簡単な説明】
【００４４】
【図１】第１実施形態における燃焼設備の概略図
【図２】燃焼用バーナの燃焼を開始させたときの時間経過に伴う燃焼用バーナの出力の変化を示す図
【図３】時間経過に伴う燃焼用バーナの出力の変化を示す図
【図４】第２実施形態における燃焼設備の概略図
【符号の説明】
【００４５】
２          燃焼用バーナ
３          燃料供給路
４          燃料ガス流量計
５          燃料ガス流量調整弁
７          空気供給路
８          空気流量計
９          空気流量調整弁
１２        流量制御手段
１３        オリフィス（第１オリフィス）
１４        圧力センサ（第１圧力センサ）
１４ａ      圧力スイッチ（第１圧力スイッチ）
１４ｂ      差圧発信器（第１差圧発信器）
１５        オリフィス（第２オリフィス）
１６        圧力センサ（第２圧力センサ）
１６ａ      圧力スイッチ（第２圧力スイッチ）
１６ｂ      差圧発信器（第２差圧発信器）
１７        異常診断手段
【図１】
0005243843.tif 000002
【図２】
0005243843.tif 000003
【図３】
0005243843.tif 000004
【図４】
0005243843.tif 000005